(57)【要約】【課題】  使い勝手を向上し得るようにする。【解決手段】  音楽再生装置１は、表示部１３に表示させる表示領域１４を歌詞画像１５の先頭部分１５Ａから末尾部分１５Ｂに向かって音楽データの再生進行スピードに合わせた移動速度で移動させるようにしたことにより、再生処理されている音楽と同期するように歌詞を順次表示することができ、かくして使い勝手を格段と向上させることができる。【選択図】          図３
2007004871.tif 000002
【特許請求の範囲】
【請求項１】
データを再生する再生手段と、
上記データに関連する関連情報が示された関連画像のうち表示手段に表示させる表示領域を上記関連情報が示されている方向に沿って移動させる表示領域移動手段と
を有し、
上記表示領域移動手段は、
上記再生手段により上記データを再生開始した際、上記データの再生時間と上記表示領域を移動させる移動距離とに基づいて算出した移動速度により、上記表示領域を移動させる
ことを特徴とする再生装置。
【請求項２】
上記表示領域移動手段は、上記表示領域を移動させる移動距離を上記データの再生時間で除算することにより上記移動速度を算出する
ことを特徴とする請求項１に記載の再生装置。
【請求項３】
上記再生手段は、音楽データを再生し、
上記表示領域移動手段は、上記音楽データ中の歌詞情報が示された歌詞画像のうち上記表示手段に表示させる表示領域を上記歌詞情報が示されている方向に沿って移動させる
ことを特徴とする請求項１に記載の再生装置。
【請求項４】
上記表示領域移動手段は、上記データの再生を開始した後所定時間が経過するまで上記表示領域を移動開始位置に静止させておく
ことを特徴とする請求項１に記載の再生装置。
【請求項５】
上記表示領域移動手段は、上記表示領域が移動終了位置に到達した後上記データの再生が終了するまで上記表示領域を上記移動終了位置に静止させておく
ことを特徴とする請求項１に記載の再生装置。
【請求項６】
上記表示領域移動手段は、上記表示領域の移動方向に上記表示領域を進ませる表示領域進行操作が行われると上記表示領域進行操作に連動して上記表示領域を移動させ、上記移動方向と逆方向に上記表示領域を戻す表示領域戻し操作が行われると上記表示領域戻し操作に連動して上記表示領域を移動させる
ことを特徴とする請求項１に記載の再生装置。
【請求項７】
上記表示領域移動手段は、上記表示領域進行操作又は上記表示領域戻し操作に連動して上記表示領域を移動させた後上記表示領域を移動再開させる際、上記表示領域の残り移動距離と上記データの残り再生時間とに基づいて上記表示領域を移動させる移動速度を再計算する
ことを特徴とする請求項６に記載の再生装置。
【請求項８】
データを再生する再生ステップと、
上記データに関連する関連情報が示された関連画像のうち表示手段に表示させる表示領域を上記関連情報が示されている方向に沿って移動させる表示領域移動ステップと
を有し、
上記表示領域移動ステップでは、
上記再生ステップにより上記データを再生開始した際、上記データの再生時間と上記表示領域を移動させる移動距離とに基づいて算出した移動速度により、上記表示領域を移動させる
ことを特徴とする関連情報表示方法。
【請求項９】
コンピュータに対し、
データを再生する再生ステップと、
上記データに関連する関連情報が示された関連画像のうち表示手段に表示させる表示領域を上記関連情報が示されている方向に沿って移動させる表示領域移動ステップと
を実行させる関連情報表示プログラムであって、
上記表示領域移動ステップでは、
上記再生ステップにより上記データを再生開始した際、上記データの再生時間と上記表示領域を移動させる移動距離とに基づいて算出した移動速度により、上記表示領域を移動させる
ことを特徴とする関連情報表示プログラム。
【発明の詳細な説明】
【技術分野】
【０００１】
本発明は再生装置、関連情報表示方法及び関連情報表示プログラムに関し、例えば、音楽データに基づいて音楽を再生しながら、その音楽の歌詞を表示する場合に適用して好適なものである。
【背景技術】
【０００２】
従来この種の音楽再生装置として、ＭＤ（Mini Disc）等の記録媒体に記録された音楽データを再生処理することにより音楽を再生しながら、当該記録媒体に記録された歌詞情報に基づいてその音楽の歌詞を表示するものがある（例えば特許文献１参照）。
【特許文献１】特開平１１−２３２８４９号公報
【発明の開示】
【発明が解決しようとする課題】
【０００３】
ところで近年、音楽データを提供する音楽提供サーバからインターネットを介して音楽データを取得し、当該取得した音楽データを再生処理するような音楽再生装置が普及している。
【０００４】
このようにインターネットを介して取得された音楽データには、その音楽の歌詞を示した歌詞画像データが含まれるものがある。これによりこの音楽再生装置は、取得した音楽データを再生処理することにより音楽を再生しながら、歌詞画像データに基づいて歌詞を示した歌詞画像を表示部に表示することができる。
【０００５】
しかしながらこの音楽再生装置は、その音楽の歌詞が長いために歌詞画像が大きくなってしまった場合、一度に全ての歌詞画像を表示部に表示することができない。この結果ユーザは、音楽を聴きながらその再生進行状況に応じて、歌詞画像の残り部分を表示させる操作を音楽再生装置に対して適宜行わなければならず、かくして使い勝手が良いとは言い難い問題があった。
【０００６】
本発明は以上の点を考慮してなされたもので、使い勝手を向上し得る再生装置、関連情報表示方法及び関連情報表示プログラムを提案しようとするものである。
【課題を解決するための手段】
【０００７】
かかる課題を解決するため本発明においては、データを再生する再生手段と、データに関連する関連情報が示された関連画像のうち表示手段に表示させる表示領域を関連情報が示されている方向に沿って移動させる表示領域移動手段とを有し、表示領域移動手段は、再生手段によりデータを再生開始した際、データの再生時間と表示領域を移動させる移動距離とに基づいて算出した移動速度により、表示領域を移動させるようにした。
【０００８】
これにより、表示部に表示させる表示領域をデータの再生進行スピードに合わせた移動速度で移動させることができる。
【発明の効果】
【０００９】
本発明によれば、表示部に表示させる表示領域をデータの再生進行スピードに合わせた移動速度で移動させることができ、かくして使い勝手を格段と向上させることができる。
【発明を実施するための最良の形態】
【００１０】
以下図面について、本発明の一実施の形態を詳述する。
【００１１】
（１）概要
図１を用いて、後述する第１〜第４の実施形態の概要を説明する。因みにこの概要を説明した後、第１〜第４の実施形態を具体的に説明する。
【００１２】
図１（Ａ）において、１０１は全体として再生装置を示し、表示部１０２と、データを再生する再生部１０３と、このデータに関連する関連情報１０４が示された関連画像１０５（図１（Ｂ））のうち表示部１０２に表示させる表示領域１０６を関連情報１０４が示されている方向に沿って移動させる表示領域移動部１０７とを有する。
【００１３】
この表示領域移動部１０７は、再生部１０３によりデータを再生開始した際、データの再生時間と表示領域１０６を移動させる移動距離とに基づいて算出した移動速度により、表示領域１０６を移動させるようになされている。例えば表示領域移動部１０７は、表示領域１０６を移動させる移動距離をデータの再生時間で除算することにより移動速度を算出するようになされている。
【００１４】
（２）第１の実施形態
次に、第１の実施形態を具体的に説明する。図２において、１は全体として音楽再生装置を示し、この音楽再生装置１全体を統括的に制御する制御部２は、ユーザにより操作部３を介して音楽取得操作が行われると、音楽データを送信するように要求する音楽送信要求信号を、通信処理部４、ネットワークインターフェース５及びインターネット６を順次介して音楽提供サーバ７に対して送信する。
【００１５】
音楽提供サーバ７は、音楽再生装置１からの音楽送信要求信号を受信すると、当該受信した音楽要求信号により要求された音楽データを、インターネット６を介して音楽再生装置１に対して送信する。因みにこの場合、音楽提供サーバ７から音楽再生装置１に対して送信される音楽データには、この音楽データの再生開始から再生終了までにかかる再生総時間（いわゆるトラック時間）を示した再生総時間情報や、その音楽の歌詞を示した歌詞画像データ等が含まれる。
【００１６】
音楽再生装置１の制御部２は、音楽提供サーバ７からの音楽データをネットワークインターフェース５及び通信処理部４を順次介して受信すると、当該受信した音楽データをハードディスクドライブ８に記憶する。またこのとき音楽再生装置１の制御部２は、この音楽データに含まれる歌詞画像データ及び再生総時間情報を、ハードディスクドライブ８に構築された歌詞画像管理データベース９及び再生総時間管理データベース１０にそれぞれ登録する。
【００１７】
この後音楽再生装置１の制御部２は、ユーザにより操作部３を介して再生操作が行われると、この再生操作により指定された音楽データをハードディスクドライブ８から読み出し、当該読み出した音楽データを音楽再生部１１により再生することによりスピーカ１２から音楽を出力する再生処理を実行する。またこのとき音楽再生装置１の制御部２は、この再生操作により指定された音楽データの歌詞画像データを歌詞画像管理データベース９から読み出し、当該読み出した歌詞画像データに基づいてその音楽の歌詞が示された歌詞画像を、歌詞の始まりが示された先頭部分から歌詞の終わりが示された末尾部分に向かって表示部１３に順次表示する歌詞画像順次表示処理を実行する。この歌詞画像順次表示処理では、図３に示すように、表示部１３に表示させる表示領域１４を、歌詞画像１５の先頭部分１５Ａから末尾部分１５Ｂに向かって順次移動させることにより、歌詞画像１５の先頭部分１５Ａから末尾部分１５Ｂに示された歌詞を順次表示させるようになされている。
【００１８】
ここで図４も併せて用いてこの歌詞画像順次表示処理を具体的に説明する。この音楽再生装置１の制御部２は、ユーザにより操作部３を介して再生操作が行われると、この再生操作により指定された音楽データの歌詞画像データを歌詞画像管理データベース９から読み出すと共に、この再生操作により指定された音楽データの再生総時間情報を再生総時間管理データベース１０から読み出す。
【００１９】
次いで音楽再生装置１の制御部２は、読み出した歌詞画像データに基づく歌詞画像１５の先頭部分１５Ａから末尾部分１５Ｂまでの先頭末尾距離Ｈと、この歌詞画像１５の先頭部分１５Ａから末尾部分１５Ｂに向かって移動させる表示領域１４の移動方向への大きさｈと、読み出した再生総時間情報に示された再生総時間Ｔとに基づいて、この歌詞画像１５の先頭部分１５Ａから末尾部分１５Ｂまで移動させる表示領域１４の移動速度を求める。つまり本実施の形態の場合音楽再生装置１の制御部２は、先頭末尾距離Ｈから表示領域１４の大きさｈを減算することにより表示領域１４の移動距離（Ｈ−ｈ）を算出した後、当該算出した移動距離（Ｈ−ｈ）を再生総時間Ｔ［秒］で除算することにより表示領域１４の移動速度{（Ｈ−ｈ）／Ｔ}を算出するようになされている（因みに図中に示すグラフにおいて、縦軸は表示領域１４の移動距離を示し横軸は経過時間ｔ［秒］を示している）。
【００２０】
そして音楽再生装置１の制御部２は、再生操作により指定された音楽データを再生処理開始したとき、これに応じて表示領域１４を歌詞画像１５の先頭部分１５Ａから末尾部分１５Ｂに向かって一定の移動速度{（Ｈ−ｈ）／Ｔ}で移動させる。これによりこの音楽再生装置１は、音楽データの再生進行スピードに合わせるようにして表示領域１４を移動させることができ、かくして再生処理されている音楽と同期するように歌詞を順次表示することができる。
【００２１】
次に図５に示すシーケンスチャートを用いて歌詞画像順次表示処理手順ＲＴ１を説明する。
【００２２】
音楽再生装置１の制御部２は、ユーザにより操作部３を介して再生操作が行われるとステップＳＰ１に移り、この再生操作により指定された音楽データの歌詞画像データを供給するように歌詞画像管理データベース９に対して要求する。この歌詞画像管理データベース９はステップＳＰ２において、要求された歌詞画像データを読み出してこれを制御部２に供給する。
【００２３】
次いで音楽再生装置１の制御部２はステップＳＰ３に進み、再生操作により指定された音楽データの再生総時間情報を供給するように再生総時間管理データベース１０に対して要求する。この再生総時間管理データベース１０はステップＳＰ４において、要求された再生総時間情報を読み出してこれを制御部２に供給する。
【００２４】
かくして音楽再生装置１の制御部２は、再生操作により指定された音楽データの歌詞画像データ及び再生総時間情報を取得することができる。
【００２５】
次いで音楽再生装置１の制御部２はステップＳＰ５に進み、歌詞画像１５の先頭部分１５Ａから末尾部分１５Ｂまで移動させる表示領域１４の移動速度{（Ｈ−ｈ）／Ｔ}を算出する。
【００２６】
続いて音楽再生装置１の制御部２は、再生操作により指定された音楽データを再生処理開始したときステップＳＰ６に進み、表示領域１４を歌詞画像１５の先頭部分１５Ａから末尾部分１５Ｂに向かって一定の移動速度{（Ｈ−ｈ）／Ｔ}で移動させ始める。そして音楽再生装置１の制御部２は、表示領域１４が歌詞画像１５の末尾部分１５Ｂに至った際、歌詞画像順次表示処理手順ＲＴ１を終了するようになされている。
【００２７】
以上の構成において音楽再生装置１の制御部２は、音楽データを再生することによりスピーカ１２から音楽を出力する再生処理を実行すると共に、再生処理している音楽の歌詞が示された歌詞画像１５を歌詞の始まりが示された先頭部分１５Ａから歌詞の終わりが示された末尾部分１５Ｂまで表示部１３に順次表示する歌詞画像順次表示処理を実行する。
【００２８】
この歌詞画像順次表示処理では、表示部１３に表示させる表示領域１４を歌詞画像１５の先頭部分１５Ａから末尾部分１５Ｂに向かって音楽データの再生進行スピードに合わせた移動速度で移動させるようにした。これにより、再生処理されている音楽と同期するように歌詞を順次表示することができ、かくして使い勝手を格段と向上させることができる。
【００２９】
以上の構成によれば、表示部１３に表示させる表示領域１４を歌詞画像１５の先頭部分１５Ａから末尾部分１５Ｂに向かって音楽データの再生進行スピードに合わせた移動速度で移動させるようにしたことにより、再生処理されている音楽と同期するように歌詞を順次表示することができ、かくして使い勝手を格段と向上させることができる。
【００３０】
（３）第２の実施形態
この第２の実施形態の場合、音楽再生装置１の構成は第１の実施形態と同様であるが、歌詞画像順次表示処理の手順が異なる。
【００３１】
つまり第２の実施形態の歌詞画像順次表示処理では、音楽データの再生処理が開始されてから所定時間経過するまで表示領域１４を歌詞画像１５の先頭部分１５Ａに静止させておくことにより、再生処理の開始後しばらくの間は歌詞画像１５に示された先頭歌詞を表示し続けるようにする。また第２の実施形態の歌詞画像順次表示処理では、音楽データの再生処理が終了する前に表示領域１４を歌詞画像１５の末尾部分１５Ｂに静止させておくことにより、再生処理の終了前しばらくの間は歌詞画像１５に示された末尾歌詞を表示し続けるようにする。
【００３２】
ここでは図６も併せて用いてこの歌詞画像順次表示処理を具体的に説明する。この音楽再生装置１の制御部２は、ユーザにより操作部３を介して再生操作が行われると、この再生操作により指定された音楽データの歌詞画像データを歌詞画像管理データベース９から読み出すと共に、この再生操作により指定された音楽データの再生総時間情報を再生総時間管理データベース１０から読み出す。
【００３３】
次いで音楽再生装置１の制御部２は、読み出した歌詞画像データに基づく歌詞画像１５の先頭部分１５Ａから末尾部分１５Ｂまでの先頭末尾距離Ｈと、この歌詞画像１５の先頭部分１５Ａから末尾部分１５Ｂに向かって移動させる表示領域１４の移動方向への大きさｈと、読み出した再生総時間情報に示された再生総時間Ｔとに基づいて、この歌詞画像１５の先頭部分１５Ａから末尾部分１５Ｂまで移動させる表示領域１４の移動速度を求める。
【００３４】
つまり本実施の形態の場合音楽再生装置１の制御部２は、再生処理の開始後所定時間経過するまで表示領域１４を静止させておくこと及び再生処理の終了前に表示領域１４を末尾部分１５Ｂまで移動させて静止させておくことを考慮して移動距離を長めに算出し（この場合、移動距離（Ｈ＋２ｈ））、当該算出した移動距離（Ｈ＋２ｈ）を再生総時間Ｔ［秒］で除算することにより表示領域１４の移動速度{（Ｈ＋２ｈ）／Ｔ}を算出するようになされている。またこの音楽再生装置１の制御部２は、再生処理の開始後表示領域１４を静止させておく開始時静止時間（この場合、ｔ＝０〜{ｈ／（Ｈ＋２ｈ）}Ｔ）を算出する。
【００３５】
そして音楽再生装置１の制御部２は、再生操作により指定された音楽データを再生処理開始すると、当該再生処理開始時から開始時静止時間が経過するまで表示領域１４を歌詞画像１５の先頭部分１５Ａに静止させておき、開始時静止時間が経過したとき表示領域１４を歌詞画像１５の先頭部分１５Ａから末尾部分１５Ｂに向かって一定の移動速度{（Ｈ＋２ｈ）／Ｔ}で移動開始させ、この表示領域１４が歌詞画像１５の末尾部分１５Ｂに至ると、当該末尾部分１５Ｂに至ったときから再生処理が終了するまで、表示領域１４を歌詞画像１５の末尾部分１５Ｂに静止させておく。
【００３６】
このようにしてこの音楽再生装置１は、再生処理の開始後しばらくの間は歌詞画像１５に示された先頭歌詞を表示し続けるようにすると共に、再生処理の終了前しばらくの間は歌詞画像１５に示された末尾歌詞を表示し続けるようになされている。
【００３７】
次に図７に示すフローチャートを用いて歌詞画像順次表示処理手順ＲＴ２を説明する。
【００３８】
音楽再生装置１の制御部２は、ユーザにより操作部３を介して再生操作が行われるとステップＳＰ２１に移り、上述したステップＳＰ１〜ＳＰ４を実行することにより、再生操作により指定された音楽データの歌詞画像データ及び再生総時間情報を取得する。
【００３９】
次いで音楽再生装置１の制御部２はステップＳＰ２２に進み、歌詞画像１５の先頭部分１５Ａから末尾部分１５Ｂまで移動させる表示領域１４の移動速度{（Ｈ＋２ｈ）／Ｔ}を算出する。またこの音楽再生装置１の制御部２は、再生処理の開始後表示領域１４を静止させておく開始時静止時間（この場合、ｔ＝０〜{ｈ／（Ｈ＋２ｈ）}Ｔ）も算出する。
【００４０】
続いて音楽再生装置１の制御部２は、再生操作により指定された音楽データを再生処理開始したときステップＳＰ２３に進み、表示領域１４を歌詞画像１５の先頭部分１５Ａに静止させておくことにより先頭歌詞を表示部１３に表示し続ける。
【００４１】
そして音楽再生装置１の制御部２はステップＳＰ２４に進み、再生処理を開始してから開始時静止時間が経過したか否かを判断し、ここで開始時静止時間が経過していないと判断した場合はステップＳＰ２３に戻って表示領域１４を先頭部分１５Ａに静止させたままにし、これに対して開始時静止時間が経過していると判断した場合はステップＳＰ２５に移って、表示領域１４を算出した移動速度{（Ｈ＋２ｈ）／Ｔ}で移動させ始める。
【００４２】
この後音楽再生装置１の制御部２はステップＳＰ２６に進み、移動させている表示領域１４が歌詞画像１５の末尾部分１５Ｂに至ったか否かを判断し、ここで表示領域１４が末尾部分１５Ｂに至っていないと判断した場合はステップＳＰ２５に戻って表示領域１４の移動を継続し、これに対して表示領域１４が末尾部分１５Ｂに至ったと判断した場合はステップＳＰ２７に移って、再生処理が終了するまで表示領域１４を末尾部分１５Ｂに静止させたままにすることにより、末尾歌詞を表示部１３に表示し続ける。そして音楽再生装置１の制御部２は、音楽データの再生処理を終了した際終了ステップＳＰ２８に移り、歌詞画像順次表示処理手順ＲＴ２を終了するようになされている。
【００４３】
以上の構成においてこの音楽再生装置１は、再生処理の開始後しばらくの間は歌詞画像１５に示された先頭歌詞を表示し続けるようにすると共に、再生処理の終了前しばらくの間は歌詞画像１５に示された末尾歌詞を表示し続ける。
【００４４】
これにより、音楽再生が開始されてから歌詞が歌われ始めるまで時間があり且つ歌詞が歌い終わってから音楽再生が終了するまで時間がある音楽データを再生する場合でも、音楽と同期するように歌詞を順次表示することができる。
【００４５】
以上の構成によれば、再生処理の開始後しばらくの間は歌詞画像１５に示された先頭歌詞を表示し続けるようにすると共に、再生処理の終了前しばらくの間は歌詞画像１５に示された末尾歌詞を表示し続けるようにしたことにより、音楽再生が開始されてから歌詞が歌われ始めるまで時間があり且つ歌詞が歌い終わってから音楽再生が終了するまで時間がある音楽データを再生する場合でも、音楽と同期するように歌詞を順次表示することができる。
【００４６】
因みに本実施の形態の場合この音楽再生装置１は、再生処理の開始後しばらくの間は歌詞画像１５に示された先頭歌詞を表示し続けるようにすると共に、再生処理の終了前しばらくの間は歌詞画像１５に示された末尾歌詞を表示し続けるようにしたが、本発明はこれに限らず、歌詞画像１５における先頭歌詞をしばらくの間表示し続けるだけ、又は、歌詞画像１５における末尾歌詞をしばらくの間表示し続けるだけにしても良い。
【００４７】
（４）第３の実施形態
この第３の実施形態の場合、音楽再生装置１の構成は第１の実施形態と同様であるが、歌詞画像順次表示処理の手順が異なる。
【００４８】
つまり第３の実施形態の歌詞画像順次表示処理では、表示部１３に表示させる表示領域１４を歌詞画像１５の先頭部分１５Ａから末尾部分１５Ｂに向かって音楽データの再生進行スピードに合わせた移動速度で移動させる点は第１の実施形態と同様であるが、この移動させている表示領域１４を先頭方向に戻す操作や末尾方向に進ませる操作がユーザにより行われると、この操作に連動して表示領域１４を移動させる点が異なる。
【００４９】
ここでは図８及び図９も併せて用いてこの歌詞画像順次表示処理を具体的に説明する。この音楽再生装置１の制御部２は、第１の実施形態と同様の手順により、ユーザの再生操作により指定された音楽データの歌詞画像１５においてその先頭部分１５Ａから末尾部分１５Ｂまで移動させる表示領域１４の移動速度{（Ｈ−ｈ）／Ｔ}を求める。
【００５０】
次いで音楽再生装置１の制御部２は、再生操作により指定された音楽データを再生処理開始したとき、これに応じて表示領域１４を歌詞画像１５の先頭部分１５Ａから末尾部分１５Ｂに向かって一定の移動速度{（Ｈ−ｈ）／Ｔ}で移動させる。
【００５１】
そして音楽再生装置１の制御部２は、表示領域１４を移動させている最中に、操作部３における上ボタン３Ａを押下して表示領域１４を先頭方向に戻す先頭方向戻し操作が行われると、図８に示すように、この先頭方向戻し操作に連動するようにして表示領域１４を歌詞画像１５の先頭方向へ戻す。この後音楽再生装置１の制御部２は、この先頭方向戻し操作が終了されると、戻された位置から末尾方向に向かって表示領域１４を一定の移動速度{（Ｈ−ｈ）／Ｔ}で移動させる。
【００５２】
また音楽再生装置１の制御部２は、表示領域１４を移動させている最中に、操作部３における下ボタン３Ｂを押下して表示領域１４を末尾方向に進ませる末尾方向進行操作が行われると、図９に示すように、この末尾方向進行操作に連動するようにして表示領域１４を歌詞画像１５の末尾方向へ進ませる。この後音楽再生装置１の制御部２は、この末尾方向進行操作が終了されると、進まされた位置から末尾方向に向かって表示領域１４を一定の移動速度{（Ｈ−ｈ）／Ｔ}で移動させるようになされている。
【００５３】
次に図１０に示すフローチャートを用いて歌詞画像順次表示処理手順ＲＴ３を説明する。
【００５４】
音楽再生装置１の制御部２は、ユーザにより操作部３を介して再生操作が行われるとステップＳＰ３１に移り、上述したステップＳＰ１〜ＳＰ４を実行することにより、再生操作により指定された音楽データの歌詞画像データ及び再生総時間情報を取得する。
【００５５】
次いで音楽再生装置１の制御部２はステップＳＰ３２に進み、歌詞画像１５の先頭部分１５Ａから末尾部分１５Ｂまで移動させる表示領域１４の移動速度{（Ｈ−ｈ）／Ｔ}を算出する。
【００５６】
続いて音楽再生装置１の制御部２は、再生操作により指定された音楽データを再生処理開始したときステップＳＰ３３に進み、表示領域１４を歌詞画像１５の先頭部分１５Ａから末尾部分１５Ｂに向かって一定の移動速度{（Ｈ−ｈ）／Ｔ}で移動させ始める。
【００５７】
この後音楽再生装置１の制御部２はステップＳＰ３４に進み、先頭方向戻し操作又は末尾方向進行操作が行われたか否かを判断し、ここで先頭方向戻し操作又は末尾方向進行操作が行われたと判断した場合はステップＳＰ３５に移って、先頭方向戻し操作又は末尾方向進行操作に連動するように表示領域１４を移動させ、この先頭方向戻し操作又は末尾方向進行操作が終了した際にステップＳＰ３６に移る。そしてこのステップＳＰ３６において音楽再生装置１の制御部２は、先頭方向戻し操作又は末尾方向進行操作に応じて移動させた位置から末尾方向に向かって表示領域１４を当初の移動速度{（Ｈ−ｈ）／Ｔ}で移動させる。
【００５８】
これに対して音楽再生装置１の制御部２は、ステップＳＰ３４において先頭方向戻し操作又は末尾方向進行操作が行われていないと判断した場合はステップＳＰ３６に移って、表示領域１４を当初の移動速度{（Ｈ−ｈ）／Ｔ}で移動させ続ける。
【００５９】
やがて表示領域１４が歌詞画像１５の末尾部分１５Ｂに至ると、これに応じて音楽再生装置１の制御部２は終了ステップＳＰ３７に移って歌詞画像順次表示処理手順ＲＴ３を終了するようになされている。
【００６０】
以上の構成においてこの音楽再生装置１の制御部２は、表示領域１４を歌詞画像１５の先頭部分１５Ａから末尾部分１５Ｂに向かって一定の移動速度{（Ｈ−ｈ）／Ｔ}で移動させている最中に、先頭方向戻し操作又は末尾方向進行操作が行われると、これに応じて表示領域１４を歌詞画像１５の先頭方向へ戻す又は末尾方向へ進ませるようにした。
【００６１】
これによりユーザは、表示領域１４が歌詞画像１５の先頭部分１５Ａから末尾部分１５Ｂに向かって自動的に移動している最中であっても、先頭方向戻し操作又は末尾方向進行操作を行うことによって表示領域１４を所望部分に移動させることができる。
【００６２】
以上の構成によれば、表示領域１４が歌詞画像１５の先頭部分１５Ａから末尾部分１５Ｂに向かって自動的に移動している最中であっても、先頭方向戻し操作又は末尾方向進行操作を行うことによって表示領域１４を所望部分に移動させることができ、かくして使い勝手を格段と向上させることができる。
【００６３】
（５）第４の実施形態
この第４の実施形態の場合、音楽再生装置１の構成は第１の実施形態と同様であるが、歌詞画像順次表示処理の手順が異なる。
【００６４】
つまり第４の実施形態の歌詞画像順次表示処理では、表示部１３に表示させる表示領域１４を歌詞画像１５の先頭部分１５Ａから末尾部分１５Ｂに向かって音楽データの再生進行スピードに合わせた移動速度で移動させている最中に、先頭方向戻し操作又は末尾方向進行操作が行われると、先頭方向戻し操作又は末尾方向進行操作に連動して表示領域１４を移動させる点は第３の実施形態と同様であるが、先頭方向戻し操作又は末尾方向進行操作に連動して移動させた後の表示領域１４を、当初の移動速度ではなく再計算した移動速度により移動させる点が異なる。
【００６５】
ここでは図１１及び図１２も併せて用いてこの歌詞画像順次表示処理を具体的に説明する。この音楽再生装置１の制御部２は、第１の実施形態と同様の手順により、ユーザの再生操作により指定された音楽データの歌詞画像１５においてその先頭部分１５Ａから末尾部分１５Ｂまで移動させる表示領域１４の移動速度{（Ｈ−ｈ）／Ｔ}を求める。
【００６６】
次いで音楽再生装置１の制御部２は、再生操作により指定された音楽データを再生処理開始したとき、これに応じて表示領域１４を歌詞画像１５の先頭部分１５Ａから末尾部分１５Ｂに向かって一定の移動速度{（Ｈ−ｈ）／Ｔ}で移動させる。
【００６７】
そして音楽再生装置１の制御部２は、表示領域１４を移動させている最中に、操作部３における上ボタン３Ａを押下して表示領域１４を先頭方向に戻す先頭方向戻し操作が行われると、図１１に示すように、この先頭方向戻し操作に連動するようにして表示領域１４を歌詞画像１５の先頭方向へ戻す。この後音楽再生装置１の制御部２は、この先頭方向戻し操作が終了されると、戻された位置から末尾部分１５Ｂまでの残り距離を再生処理の残り時間で除算することにより表示領域１４の移動速度を再計算し、この結果得られた移動速度で表示領域１４の移動を再開する。これによりこの表示領域１４は、歌詞画像１５の末尾方向に向かって当初の移動速度{（Ｈ−ｈ）／Ｔ}よりも速い移動速度で移動再開される。
【００６８】
また音楽再生装置１の制御部２は、表示領域１４を移動させている最中に、操作部３における下ボタン３Ｂを押下して表示領域１４を末尾方向に進ませる末尾方向進行操作が行われると、図１２に示すように、この末尾方向進行操作に連動するようにして表示領域１４を歌詞画像１５の末尾方向へ進ませる。この後音楽再生装置１の制御部２は、この末尾方向進行操作が終了されると、進まされた位置から末尾部分１５Ｂまでの残り距離を再生処理の残り時間で除算することにより表示領域１４の移動速度を再計算し、この結果得られた移動速度で表示領域１４の移動を再開する。これによりこの表示領域１４は、歌詞画像１５の末尾方向に向かって当初の移動速度{（Ｈ−ｈ）／Ｔ}よりも遅い移動速度で移動再開される。
【００６９】
かくしてこの音楽再生装置１は、先頭方向戻し操作又は末尾方向進行操作に連動して表示領域１４を移動させたとしても、この表示領域１４が歌詞画像１５の末尾部分１５Ｂに至るタイミングと音楽データの再生が終了するタイミングとを一致させることができる。
【００７０】
次に図１３に示すフローチャートを用いて歌詞画像順次表示処理手順ＲＴ４を説明する。
【００７１】
音楽再生装置１の制御部２は、ユーザにより操作部３を介して再生操作が行われるとステップＳＰ４１に移り、上述したステップＳＰ１〜ＳＰ４を実行することにより、再生操作により指定された音楽データの歌詞画像データ及び再生総時間情報を取得する。
【００７２】
次いで音楽再生装置１の制御部２はステップＳＰ４２に進み、歌詞画像１５の先頭部分１５Ａから末尾部分１５Ｂまで移動させる表示領域１４の移動速度{（Ｈ−ｈ）／Ｔ}を算出する。
【００７３】
続いて音楽再生装置１の制御部２は、再生操作により指定された音楽データを再生処理開始したときステップＳＰ４３に進み、表示領域１４を歌詞画像１５の先頭部分１５Ａから末尾部分１５Ｂに向かって一定の移動速度{（Ｈ−ｈ）／Ｔ}で移動させ始める。
【００７４】
この後音楽再生装置１の制御部２はステップＳＰ４４に進み、先頭方向戻し操作又は末尾方向進行操作が行われたか否かを判断し、ここで先頭方向戻し操作又は末尾方向進行操作が行われたと判断した場合はステップＳＰ４５に移って、先頭方向戻し操作又は末尾方向進行操作に連動するように表示領域１４を移動させ、この先頭方向戻し操作又は末尾方向進行操作が終了した際にステップＳＰ４６に移る。そしてこのステップＳＰ４６において音楽再生装置１の制御部２は、先頭方向戻し操作又は末尾方向進行操作に応じて表示領域１４を移動させた位置から歌詞画像１５の末尾部分１５Ｂまでの残り距離を再生処理の残り時間で除算することにより表示領域１４の移動速度を再計算し、この結果得られた移動速度で表示領域１４の移動を再開する。
【００７５】
これに対して音楽再生装置１の制御部２は、ステップＳＰ４４において先頭方向戻し操作又は末尾方向進行操作が行われていないと判断した場合はステップＳＰ４７に移って、表示領域１４を当初の移動速度{（Ｈ−ｈ）／Ｔ}で移動させ続ける。
【００７６】
やがて表示領域１４が歌詞画像１５の末尾部分１５Ｂに至ると、これに応じて音楽再生装置１の制御部２は終了ステップＳＰ４８に移って歌詞画像順次表示処理手順ＲＴ４を終了するようになされている。
【００７７】
以上の構成においてこの音楽再生装置１の制御部２は、先頭方向戻し操作又は末尾方向進行操作に連動して表示領域１４を移動させた後この表示領域１４を移動再開させる際、この表示領域１４が移動された位置から歌詞画像１５の末尾部分１５Ｂまでの残り距離を再生処理の残り時間で除算することにより表示領域１４の移動速度を再計算し、この結果得られた移動速度で表示領域１４の移動を再開するようにした。
【００７８】
これにより先頭方向戻し操作又は末尾方向進行操作に連動して表示領域１４を移動させたとしても、この表示領域１４が歌詞画像１５の末尾部分１５Ｂに至るタイミングと音楽データの再生が終了するタイミングとを一致させることができる。
【００７９】
以上の構成によれば、先頭方向戻し操作又は末尾方向進行操作に連動して表示領域１４を移動させたとしても、この表示領域１４が歌詞画像１５の末尾部分１５Ｂに至るタイミングと音楽データの再生が終了するタイミングとを一致させることができ、かくして格段と使い勝手を向上させることができる。
【００８０】
（６）他の実施形態
上述した第１〜第４の実施形態においては、音楽データを再生する際にその音楽の歌詞が示された歌詞画像１５を順次表示する音楽再生装置１に対して本発明を適用する場合について述べたが、本発明はこれに限らず、例えば映画データを再生する際にその映画の解説や字幕などが関連情報として示された関連画像を順次表示する再生装置に対して本発明を適用するようにしても良い。
【００８１】
また上述した第１〜第４の実施形態においては、音楽再生装置１の制御部２が予めインストールされたプログラムに従って、歌詞画像順次表示処理手順ＲＴ１〜ＲＴ４等の各種処理をソフトウェア的に実行する場合について述べたが、本発明はこれに限らず、これら処理ＲＴ１〜ＲＴ４を実行するための回路を設けることで、これら処理ＲＴ１〜ＲＴ４をハードウェア的に実行するようにしても良い。また、歌詞画像順次表示処理手順ＲＴ１〜ＲＴ４等の各種処理を実行するためのプログラムをＣＤ（Compact Disc）等の記録媒体に記録しておいても良い。
【００８２】
因みに図１（Ａ）の再生装置１０１は図２の音楽再生装置１に相当し、表示部１０２は表示部１３に相当し、再生部１０３は音楽再生部１１に相当し、表示領域移動部１０７は歌詞画像順次表示処理手順ＲＴ１〜ＲＴ４を実行する制御部２に相当する。また図１（Ｂ）の関連画像１０５は図３の歌詞画像１５に相当し、表示領域１０６は表示領域１４に相当する。
【産業上の利用可能性】
【００８３】
本発明は、例えば、音楽データに基づいて音楽を再生しながらその音楽の歌詞を表示する音楽再生装置などに利用することができる。
【図面の簡単な説明】
【００８４】
【図１】再生装置の概要を示す略線図である。
【図２】本実施の形態による音楽再生装置の構成を示すブロック図である。
【図３】歌詞画像及び表示領域の説明に供する略線図である。
【図４】歌詞画像順次表示処理（第１の実施形態）の説明に供する略線図である。
【図５】歌詞画像順次表示処理手順（第１の実施形態）を示すフローチャートである。
【図６】歌詞画像順次表示処理（第２の実施形態）の説明に供する略線図である。
【図７】歌詞画像順次表示処理手順（第２の実施形態）を示すフローチャートである。
【図８】歌詞画像順次表示処理（第３の実施形態）の説明に供する略線図である。
【図９】歌詞画像順次表示処理（第３の実施形態）の説明に供する略線図である。
【図１０】歌詞画像順次表示処理手順（第３の実施形態）を示すフローチャートである。
【図１１】歌詞画像順次表示処理（第４の実施形態）の説明に供する略線図である。
【図１２】歌詞画像順次表示処理（第４の実施形態）の説明に供する略線図である。
【図１３】歌詞画像順次表示処理手順（第４の実施形態）を示すフローチャートである。
【符号の説明】
【００８５】
１……音楽再生装置、２……制御部、３……操作部、８……ハードディスクドライブ、１１……音楽再生部、１３……表示部、１４……表示領域、１５……歌詞画像、ＲＴ１〜ＲＴ４……歌詞画像順次表示処理手順。
【図１】
2007004871.tif 000003
【図２】
2007004871.tif 000004
【図３】
2007004871.tif 000005
【図４】
2007004871.tif 000006
【図５】
2007004871.tif 000007
【図６】
2007004871.tif 000008
【図７】
2007004871.tif 000009
【図８】
2007004871.tif 000010
【図９】
2007004871.tif 000011
【図１０】
2007004871.tif 000012
【図１１】
2007004871.tif 000013
【図１２】
2007004871.tif 000014
【図１３】
2007004871.tif 000015